(57)【要約】【課題】パネルの大きさに関わらず、単一のパターニングマスクを利用して電磁波遮蔽膜のパターニング工程を単純化するプラズマディスプレイ装置を提供する。【解決手段】本発明は、パネルと、ベア部領域なしに全体が所定のバイアス角でパターニングされた電磁波遮蔽膜153を含むフィルタと、電磁波遮蔽膜153と直接連結される１つ以上の連結部材170とを有し、電磁波遮蔽膜153を、連結部材170を介して接地することによりパターニング工程を単純化する。また、フィルタの電磁波遮蔽膜と反射防止膜を同一のベースフィルム上に形成して製造費用の低減を図ることができる。【選択図】 図５
2006091893.tif 000002
【特許請求の範囲】
【請求項１】
パネルと、
所定のバイアス角でパターニングされた電磁波遮蔽膜を含むフィルタと、
前記電磁波遮蔽膜のパターニングされた部分と連結される１つ以上の連結部材と、
を含むことを特徴とするプラズマディスプレイ装置。
【請求項２】
前記電磁波遮蔽膜は、全体領域がパターニングされたことを特徴とする請求項１に記載のプラズマディスプレイ装置。
【請求項３】
前記フィルタは、反射防止膜、光特性膜、及び近赤外線遮蔽膜のうち少なくとも１つの膜を更に含むことを特徴とする請求項１に記載のプラズマディスプレイ装置。
【請求項４】
前記電磁波遮蔽膜は、前記パネルから出る近赤外線を遮蔽することを特徴とする請求項１に記載のプラズマディスプレイ装置。
【請求項５】
前記バイアス角は、前記電磁波遮蔽膜と前記パネルに形成された隔壁との間に形成される角であることを特徴とする請求項１に記載のプラズマディスプレイ装置。
【請求項６】
前記バイアス角は、前記電子遮蔽膜と前記パネルに形成された隔壁との間に発生する電磁波障害と関連することを特徴とする請求項１に記載のプラズマディスプレイ装置。
【請求項７】
前記電磁波遮蔽膜は、第１ベースフィルム上に形成され、前記電磁波遮蔽膜と同一線上に積層される反射防止膜は、第２ベースフィルム上に形成されることを特徴とする請求項１に記載のプラズマディスプレイ装置。
【請求項８】
パネルと、
所定のバイアス角でパターニングされた電磁波遮蔽膜及び反射防止膜が同一のベースフィルム上に形成されるフィルタと、
前記電磁波遮蔽膜のパターニングされた部分と連結される１つ以上の連結部材と、
を含んでいることを特徴とするプラズマディスプレイ装置。
【請求項９】
前記フィルタは、光特性膜または近赤外線遮蔽膜を更に含んでいることを特徴とする請求項８に記載のプラズマディスプレイ装置。
【請求項１０】
前記電磁波遮蔽膜は、前記パネルから出る近赤外線を遮蔽することを特徴とする請求項８に記載のプラズマディスプレイ装置。
【請求項１１】
前記パネルまたは電磁波遮蔽膜は,前記連結部材と電気的に接続され、さらに導電性金属からなる接地部が、前記パネルの縁に形成されるとともに前記連結部材に連結されることを特徴とする請求項８に記載のプラズマディスプレイ装置。
【請求項１２】
前記接地部は、映像がディスプレイされる有効表示領域の外側に形成されることを特徴とする請求項１１に記載のプラズマディスプレイ装置。
【請求項１３】
前記接地部と前記連結部材は、導電性テープを介して連結されることを特徴とする請求項１１に記載のプラズマディスプレイ装置。
【請求項１４】
前記接地部は、前記パネルを覆うバックカバーに電気的に接続されることを特徴とする請求項１１に記載のプラズマディスプレイ装置。
【請求項１５】
パネルと、
全体領域が所定のバイアス角でパターニングされた電磁波遮蔽膜を含むフィルタと、
前記電磁波遮蔽膜のパターニングされた部分と連結される１つ以上の連結部材と、
を含むことを特徴とするプラズマディスプレイ装置。
【請求項１６】
前記所定のバイアス角は、前記電磁波遮蔽膜の全体領域で実質的に同一であることを特徴とする請求項１５に記載のプラズマディスプレイ装置。
【請求項１７】
前記電磁波遮蔽膜は、第１ベースフィルム上に形成され、前記電磁波遮蔽膜と同一線上に積層される反射防止膜は、第２ベースフィルム上に形成されることを特徴とする請求項１５に記載のプラズマディスプレイ装置。
【請求項１８】
前記電磁波遮蔽膜と、該電磁波遮蔽膜と同一線上に積層される反射防止膜とは、同一のベースフィルムの上面と下面に各々形成されることを特徴とする請求項１５に記載のプラズマディスプレイ装置。
【請求項１９】
前記電磁波遮蔽膜は、銅成分を含むことを特徴とする請求項１５に記載のプラズマディスプレイ装置。
【請求項２０】
パネルと、
所定のバイアス角でパターニングされた電磁波遮蔽膜及び反射防止膜が同一のベースフィルム上に形成されるフィルタと、
前記電磁波遮蔽膜のベア部と連結される１つ以上の連結部材と、
を含んでいることを特徴とするプラズマディスプレイ装置。
【発明の詳細な説明】
【技術分野】
【０００１】
本発明は、プラズマディスプレイ装置に関し、より詳しくは、パネルに取り付けられて電磁波を遮断するフィルタの構成及び前記フィルタとパネルとの連結構造に関する。
【背景技術】
【０００２】
プラズマディスプレイ装置は、隔壁が形成された後面基板及びこれと対向する前面基板との間に放電セルが形成され、各放電セルの内部の不活性ガスが高周波電圧により放電される際に発生する真空紫外線が蛍光体を発光させることによって映像を実現する装置である。
【０００３】
図１は、一般的なプラズマディスプレイ装置の構造を概略的に示す図面である。
まず、パネル２０は、前面基板及び後面基板を結合して構成される。
【０００４】
パネル２０を覆うケース１０は、フロントキャビネット１１及びバックカバー１２とを含んでいる。また、プラズマディスプレイ装置は、パネル２０の駆動を制御するための印刷回路基板３０と、前記パネル及び印刷回路基板から発生する熱を放熱するための放熱板４０と、前記パネルの前面に取り付けられるフィルタ５０とを含んでいる。
【０００５】
そして、プラズマディスプレイ装置は、フィルタ５０を支持すると共にバックカバー１２と電気的に接続するフィンガースプリングガスケット１３及びフィルタ支持台１４が設けられ、さらに、印刷回路基板３０とパネル２０とを結合したモジュールを支持するモジュール支持体１５が設けられている。
一方、フィルタ５０は、ガラスフィルタ５０ａとフィルムフィルタ５０ｂとに分けられる。
【０００６】
一般的なガラスフィルタ５０ａは、図２に示すように、透明ガラス基板５６に眩しさ防止のための反射防止膜（AR Film）５７、近赤外線を遮蔽すると共に、色を調節するカラーダイ膜（Color-dye Film）５８、電磁波の遮蔽のための電磁波遮蔽膜（EMI Film）５９が取り付けられて形成される。
【０００７】
一般的なフィルムフィルタ５０ｂは、図３に示すように、第１ベースフィルム５１と、前記第１ベースフィルムに取り付けられ、導電性物質が網のように形成されたメッシュ部５３及びこのメッシュ部の縁に形成されたベア部（Bare portion ）５２から構成された電磁波遮蔽膜５４と、第２ベースフィルム６１と、第２ベースフィルムに取り付けられた反射防止膜６２から構成される。
【０００８】
また、メッシュ部５３の間には、透明樹脂６０が充填され、反射防止膜６２が形成された第２ベースフィルム６１は、接着剤５５により電磁波遮蔽膜５４に接着される。
一方、ガラスフィルタ５０ａに含まれた電磁波遮蔽膜５９と、フィルムフィルタ５０ｂに含まれた電磁波遮蔽膜５４とは、図４に示すように、導電性物質が網形態でパターニングされたメッシュ部５３と、このメッシュ部の外側の縁部に位置し、パターニングされていないベア部５２とを形成している。
【０００９】
また、メッシュ部５３は、パネルと結合する際、パネルの隔壁とメッシュ部が電気的干渉を起こして円または直線などが重なり合って波紋模様が現れるモアレ（Moire）現象を防止するために所定のバイアス角（θ）を有するように形成される。
【発明の開示】
【発明が解決しようとする課題】
【００１０】
しかしながら、メッシュ部５３のバイアス角（θ）は、モアレ現象を最小化するためにパネルの大きさによって変更されるだけでなく、電磁波遮蔽膜５４は、縁にベア部５２が形成されるため、パネルの大きさによって各々別途に製造しなければならないので、フィルムフィルタ５０ｂの製造工程が複雑になり、費用が上昇する問題があった。
【００１１】
また、従来の技術に係るフィルムフィルタ５０ｂは、図３に示すように、電磁波遮蔽膜５４及び反射防止膜６２を各々形成するために２枚のベースフィルム５１、６１を必要とするので、その製造工程が複雑になり、費用が上昇する問題があった。
【課題を解決するための手段】
【００１２】
本発明は、従来の技術の問題を解決するために考えられたもので、ベア部領域なしに全体が所定のバイアス角でパターニングされたメッシュ部で形成された電磁波遮蔽膜を備えたフィルタを提供し、前記電磁波遮蔽膜のパターニングされた部分と連結される１つ以上の連結部材を介して前記電磁波遮蔽膜が接地されることにより、パネルの大きさに関わらず、単一のパターニングマスクを利用して電子波遮蔽膜のパターニング工程を単純化させることができる。
【００１３】
前記バイアス角は、前記電磁波遮蔽膜と所定の隔壁との間に形成される角であって、全体領域において実質的に同一である。また、前記バイアス角はパネルの大きさによって設計者により変更可能に設定できる値であって、前記電子遮蔽膜と所定の隔壁との間に発生する電磁波障害を最小にする角度であることが好ましい。
【００１４】
前記電磁波遮蔽膜は、第１ベースフィルム上に形成され、前記電磁波遮蔽膜と同一線上に積層される反射防止膜は、第２ベースフィルム上に形成される。
【００１５】
また、本発明は、電磁波遮蔽膜及び反射防止膜が同一のベースフィルムの上面及び下面に各々形成され、前記電磁波遮蔽膜のパターニングされた部分と連結される１つ以上の連結部材を含むことによって、フィルタに含まれる膜工程を単純化させることができる。
【００１６】
前記フィルタは、光特性膜または近赤外線遮蔽膜のうち、少なくとも１つ以上が更に含まれており、前記電磁波遮蔽膜は、前記パネルから出る近赤外線を遮蔽することができる。
【００１７】
このようなフィルタと結合するパネルは、前記連結部材と電気的に接続されるように縁に導電性金属からなる接地部が形成され、この接地部は、映像がディスプレイされる有効表示領域の外側に形成されてパネルを覆うバックカバーに電気的に接続される。この際、前記接地部には導電性テープを取り付けることができる。
【発明の効果】
【００１８】
以上、詳細に説明したように、本発明のプラズマディスプレイ装置は、全体領域が所定のバイアス角でパターニングされた電磁波遮蔽膜を含んでいるフィルタが取り付けられるので、パネルの大きさ及びバイアス角に関わらず、単一のパターニングマスクを利用することができる。
【００１９】
また、本発明のパネルは、同一のベースフィルム上に電磁波遮蔽膜及び反射防止膜が形成されたフィルタが結合するので、フィルタに含まれる膜製造工程を単純化させることができる。
【００２０】
このようなフィルタが接着したパネルモジュールの構造は、パネルの一側に導電性金属からなる接地部が形成され、フィルタ上の電磁波が連結部材を介してアースに流れるように誘導し、前記接地部に導電性テープを更に備えられてパネル上に伝えられる衝撃を緩和させることができる。
【発明を実施するための最良の形態】
【００２１】
以下、添付の図面を参照しつつ、本発明に係るフィルタ及びこれを利用したプラズマディスプレイ装置の実施形態を説明すれば、次の通りである。
【００２２】
本発明に係る実施形態では、複数個のプラズマディスプレイ装置を設けることができ、以下では、最も好ましい実施形態について説明する。 但し、プラズマディスプレイ装置の基本的な構造に関しては従来の発明の説明部分に代えることにする。
【００２３】
図５は、本発明のフィルムフィルタを構成する電磁波遮蔽膜の斜視図であり、図６は、電磁波遮蔽膜を含む第１実施形態によるフィルムフィルタの断面図である。図７は、電磁波遮蔽膜を含む第２実施形態によるフィルムフィルタの断面図である。
【００２４】
図５を参照すれば、本発明の電磁波遮蔽膜１５３は、通常のフィルタにおけるベア部をなくして、全体領域が所定のバイアス角（θ）でパターニングされ、銅成分を含んで形成される。また、電磁波遮蔽膜１５３は、この電磁波遮蔽膜と直接連結される１つ以上の連結部材１７０を通じて接地される。
【００２５】
このような電磁波遮蔽膜１５３は、モアレ（Moire）現象を防止するために所定のバイアス角（θ）を有するようにパターニングされたメッシュ部のみで構成される。これは、従来のフィルタでのベア部を含んだ全体領域で実質的に同一のバイアス角を有するようにパターニングされる。
【００２６】
前記バイアス角（θ）は、電磁波遮蔽膜１５３と所定の隔壁間に形成される角であって、パネルの大きさによって他の角度に設定可能である。即ち、バイアス角は、電磁波遮蔽膜と所定の隔壁との間に発生する電磁波障害と関連するので、これを最小化する角度で設定されることが好ましい。
【００２７】
そして、接地される連結部材１７０は、電磁波遮蔽膜１５３に直接接続する。"直接"接続するというのは、メッシュに流れる電磁波が、ベア部を通じて接地される従来のフィルタの構造とは異なり、連結部材１７０が電磁波遮蔽膜１５３のパターニングされたメッシュ部と直接接続するという意味である。
【００２８】
このような連結部材１７０は、銀、銅、金、またはアルミニウムなどの金属のうち、少なくともいずれかの１つ金属を用いて形成されるので、電磁波の接地通路として利用される。
【００２９】
このように、本発明のフィルムフィルタは、従来のベア部であった領域まで所定のバイアス角（θ）を有するメッシュでパターニングされた電磁波遮蔽膜１５３を含んでいるので、単一のパターニングマスクのみでメッシュを形成した後、パネルの大きさによって相異なるバイアス角を有するように切って使用すればよい。
【００３０】
図６を参照して第１実施形態のフィルムフィルタ１５０ａの断面を注意深くみれば、フィルムフィルタ１５０ａは、第１ベースフィルム１５１と、第１ベースフィルムに取り付けられ全体領域がメッシュでパターニングされた電磁波遮蔽膜１５３と、第２ベースフィルム１６１と、第２ベースフィルムに取り付けられた反射防止膜１６２とからなる。
【００３１】
また、電磁波遮蔽膜１５３のメッシュ間には、透明樹脂が充填されて、反射防止膜１６２が形成された第２ベースフィルム１６１は、接着剤１５５により電磁波遮蔽膜１５３と接着される。
【００３２】
図７は、第２実施形態のフィルムフィルタ１５０ｂの断面図であって、フィルムフィルタ１５０ｂは、単一のベースフィルム１５１と、ベースフィルムの表示面側に形成されてパネルに入射する光が反射することを防止する反射防止膜１６２と、前記ベースフィルムのパネル面側に形成され全体領域が所定のバイアス角を有するメッシュでパターニングされた電磁波遮蔽膜１５３とを含んでいる。
【００３３】
即ち、第２実施形態のフィルムフィルタ１５０ｂを構成する電磁波遮蔽膜１５３及びこれと同一線上に積層される反射防止膜１６２は、同一のベースフィルム１５１の上面と下面に各々形成されるので、２枚のベースフィルムに電磁波遮蔽膜及び反射防止膜が各々別に形成された第１実施形態のフィルムフィルタ１５０ａの製造工程より、単純化されて費用が低減する効果がある。
【００３４】
このように構成される第１実施形態及び第２実施形態のフィルタ１５０ａ、１５０ｂは、中央部の幅（Ｗ１）と境界部の幅（Ｗ２）が同一に形成され、ベア部をなくして全体領域がパターニングされた電磁波遮蔽膜１５３を含んでいる。
【００３５】
図８及び図９は、本発明の第３実施形態によるフィルムフィルタの構成に関するものであって、図８に図示された電磁波遮蔽膜２５４は、銅成分を用いて形成され、所定のバイアス角（θ）でパターニングされるメッシュ部２５３及び前記メッシュ部を覆うベア部２５２からなる。また、電磁波遮蔽膜２５４は、ベア部２５２と連結される１つ以上の連結部材２７０を介して接地される。
【００３６】
図９を参照して第３実施形態によるフィルムフィルタ１５０ｃの断面を注意深くみれば、フィルムフィルタ１５０ｃは、単一のベースフィルム２５１と、ベースフィルムの表示面側に形成されてパネルに入射される光が反射されることを防止する反射防止膜２６1と、ベースフィルムのパネル面側に形成され、図８に図示されたベア部２５２とメッシュ部２５３からなる電磁波遮蔽膜２５４とを含んでいる。
【００３７】
即ち、第３実施形態のフィルタ１５０ｃに形成された電磁波遮蔽膜２５４は、メッシュ部２５３の幅（Ｗ１）とベア部２５２の幅（Ｗ２）が相異なるように形成され、フィルタの境界部で接地部と連結される連結部材２７０との接触面が広くなるように、ベア部２５２の幅（Ｗ２）がより大きく形成されることが好ましい。
【００３８】
このように構成される第１乃至第３実施形態のフィルタ１５０ａ、１５０ｂ、１５０ｃは、電磁波遮蔽膜及び反射防止膜の他にも、図示してはいないが、パネルから入射される光の色温度を調節して光特性を改善させる光特性膜、近赤外線を遮蔽する近赤外線遮蔽膜中の少なくとも１つ以上の膜を更に備えることができる。また、本発明の電磁波遮蔽膜または反射防止膜には、近赤外線防止機能を備えることができる。
【００３９】
以下、図１０乃至図１７には、フィルタがパネルに接着したモジュール構造の第１乃至第４実施形態を図示し、図１０乃至１３には、第２実施形態のフィルタ１５０ｂが接着したモジュール構造を図示し、図１４乃至１７には、第３実施形態のフィルタ１５０ｃが接着したモジュール構造を図示している。
【００４０】
図１０は、モジュール構造の第１実施形態の斜視図であり、図１１はモジュール構造の第１実施形態の断面図である。
まず、パネル１２０は、前面基板１２１と後面基板１２２とを接着して形成され、その上面に接地部１６０が形成される。接地部１６０は、図７に図示された第２実施形態のフィルタのパターニングされた部分と連結される連結部材１７０に接続される。
パネルの後面には印刷回路基板１３０及びパネルから発生する熱を放熱させる放熱板１４０が接着する。
【００４１】
この際、接地部１６０は、パネルの縁に導電性金属から作られており、全体領域がパターニングされた電磁波遮蔽膜１５３と接触し、連結部材１７０を介して図示されていないバックカバーに接続される。パネルの縁とは、映像が表示される有効表示領域（Active Area）の外郭を意味する。
【００４２】
放熱板１４０に接着される印刷回路基板１３０は、パネルの電極に駆動信号を供給する駆動回路基板であり、パネル１２０は、駆動信号に応答して所定の画像を表示する。
【００４３】
また、図１２は、モジュール構造の第２実施形態の斜視図であり、図１３は、モジュール構造の第２実施形態の断面図である。
【００４４】
本実施形態におけるこの構造は、パネル１２０、全体領域がパターニングされた電磁波遮蔽膜１５３を含んでいるフィルタ、パネルの縁に導電性金属からなる電磁波遮蔽膜のパターニングされた部分と接続する接地部１６０、この接地部と連結される連結部材１７０、印刷回路基板１３０及び放熱板１４０を含んでおり、図１０及び図１１に図示された実施形態と同一である。
【００４５】
但し、第２実施形態の接地部１６０上には、導電性テープ１８０が更に備えられる。即ち、全体領域がパターニングされた電磁波遮蔽膜１５３は、接地部１６０と連結され、接地部は、導電性テープ１８０を介して連結部材１７０と連結されてバックカバーに接続される。
【００４６】
従って、接地部１６０は、映像が表示される有効表示領域の外郭に形成される。また、導電性テープ１８０は、接地部の外郭に形成されて連結部材１７０と接触する。
【００４７】
このような導電性テープ１８０は、金属の連結部材１７０がパネルに形成された接地部１６０に直接に接触する場合、パネルに物理的な力を加えることになってパネルの損傷をもたらすので、連結部材が接触する際に発生する物理的な力を緩衝させることができる。
【００４８】
図１４は、モジュール構造の第３実施形態の斜視図であり、図１５はモジュール構造の第３実施形態の断面図である。
【００４９】
まず、パネル１２０は、前面基板１２１と後面基板１２２とを接着して形成され、接地部２６０が形成される。この接地部２６０は、第３実施形態のフィルタ１５０ｃと連結され、フィルタは、所定のバイアス角でパターニングされたメッシュ部２５３及びメッシュ部の縁をなすベア部２５２からなる電磁波遮蔽膜を含んでいる。
パネルの後面には、印刷回路基板１３０及びパネルから発生する熱を放熱させる放熱板１４０が接着する。
【００５０】
この際、接地部２６０は、パネルの縁に導電性金属からなってベア部２５２と接触し、連結部材２７０を通じて図示されていないバックカバーに接続される。パネルの縁とは、映像が表示される有効表示領域（Active Area）の外郭を意味する。
【００５１】
放熱板１４０に接着する印刷回路基板１３０は、パネルの電極に駆動信号を供給する駆動回路であり、パネル１２０は、前記駆動信号に応答して所定の画像を表示する。
【００５２】
また、図１６はモジュール構造の第４実施形態の斜視図であり、図１７はモジュール構造の第４実施形態の断面図である。
【００５３】
本実施形態の構造は、パネル１２０、メッシュ部２５３及びベア部２５２からなる電磁波遮蔽膜を含んでいるフィルタ、電磁波遮蔽膜のベア部２５２と連結される接地部２６０、前記接地部と連結される連結部材２７０、印刷回路基板１３０及び放熱板１４０を含んでおり、図１４及び図１５に図示された実施形態と同一である。
【００５４】
但し、第４実施形態の接地部２６０上には、導電性テープ２８０が更に備えることができる。即ち、電磁波遮蔽膜のベア部２５２は、接地部２６０と連結され、前記接地部は導電性テープ２８０を介して連結部材２７０と連結されてバックカバーに接続される。
【００５５】
従って、接地部２６０は、映像が表示される有効表示領域の外郭に形成されることが好ましく、導電性テープ２８０は、前記接地部の外郭に形成されて連結部材２７０と接触する。
【００５６】
このような第４実施形態の導電性テープ２８０は、金属の連結部材２７０がパネルに形成された接地部２６０に直接に接触する場合、パネルに物理的な力を加えることになってパネルの損傷をもたらすので、連結部材が接触する際に発生する物理的な力を緩衝させる役割を果たすことができる。
【図面の簡単な説明】
【００５７】
【図１】一般的なプラズマディスプレイ装置の構造図である。
【図２】従来のガラスフィルタの断面図である。
【図３】従来のフィルムフィルタの断面図である。
【図４】従来のフィルムフィルタを構成する電磁波遮蔽膜の斜視図である。
【図５】本発明のフィルムフィルタを構成する電磁波遮蔽膜の第１斜視図である。
【図６】本発明の第１実施形態によるフィルムフィルタの断面図である。
【図７】本発明の第２実施形態によるフィルムフィルタの断面図である。
【図８】本発明のフィルムフィルタを構成する電磁波遮蔽膜の第２斜視図である。
【図９】本発明の第３実施形態によるフィルムフィルタの断面図である。
【図１０】本発明のフィルタが接着したパネルモジュールの第１実施形態の斜視図である。
【図１１】本発明のフィルタが接着したパネルモジュールの第１実施形態の断面図である。
【図１２】本発明のフィルタが接着したパネルモジュールの第２実施形態の斜視図である。
【図１３】本発明のフィルタが接着したパネルモジュールの第２実施形態の断面図である。
【図１４】本発明のフィルタが接着したパネルモジュールの第３実施形態の斜視図である。
【図１５】本発明のフィルタが接着したパネルモジュールの第３実施形態の断面図である。
【図１６】本発明のフィルタが接着したパネルモジュールの第４実施形態の斜視図である。
【図１７】本発明のフィルタが接着したパネルモジュールの第４実施形態の断面図である。
【符号の説明】
【００５８】
１０    ケース
２０、１２０    パネル
３０、１３０     印刷回路基板
４０、１４０     放熱板
５０    フィルタ
５２、２５２    ベア部
５４、５９、１５３、２５３、２５４    電磁波遮蔽膜
５７、６２、１６２、２６２    反射防止膜
１２１    前面基板
１２２    後面基板
１６０、２６０    接地部
１７０、２７０    連結部材
１８０、２８０    導電性テープ
２５３    メッシュ部
【図１】
2006091893.tif 000003
【図２】
2006091893.tif 000004
【図３】
2006091893.tif 000005
【図４】
2006091893.tif 000006
【図５】
2006091893.tif 000007
【図６】
2006091893.tif 000008
【図７】
2006091893.tif 000009
【図８】
2006091893.tif 000010
【図９】
2006091893.tif 000011
【図１０】
2006091893.tif 000012
【図１１】
2006091893.tif 000013
【図１２】
2006091893.tif 000014
【図１３】
2006091893.tif 000015
【図１４】
2006091893.tif 000016
【図１５】
2006091893.tif 000017
【図１６】
2006091893.tif 000018
【図１７】
2006091893.tif 000019